(57)【要約】      （修正有）【課題】取り付け組み立てが容易で、組立て時又は直飲み時であっても、バネの先端により指をケガすることもなく、安全性が高い携帯用飲料容器を提供する。【解決手段】携帯用飲料容器は、内、外筒と、容器本体と、その口元に装着した筒状の肩部材４と、容器本体内と外部とを連通する注出口５を備えた注出部材と、肩部材に枢支して注出口５を開閉する蓋部材７と、蓋部材７の蓋体７ａを係合する開閉操作部材と、開閉ボタン８ａをロックするロック部材とから構成されている。この構成において、肩部材４と蓋体７ａは、先ず肩部材４のヒンジ支持部の左右両側より左、右深溝１１内にそれぞれ蓋体用バネ２０の左、右バネ部２０ｂ及び左、右先端部２０ａを挿入後、蓋体７ａの二叉状のヒンジ受部２５をヒンジ支持部の左右両側より近づけ、蓋体用バネ２０の左、右保持部２０ｃをそれぞれ左、右嵌合溝２７内に納めた後に、ヒンジ受部２５の一方より蓋体用軸ピン１９を挿入して構成する。【選択図】図７
0003164889.tif 000002
【実用新案登録請求の範囲】
【請求項１】
飲料収容の容器本体（１ａ）と、容器本体（１ａ）の口元に着脱自在に装着する筒状の肩部材（４）と、肩部材（４）の開口を開閉する蓋部材（７）と、肩部材後方のヒンジ支持部（４ｃ）と蓋部材後方のヒンジ受部（２５）とに挿通される蓋体用軸ピン（１９）と、蓋体用軸ピン（１９）に巻回されて蓋体（７ａ）を開方向に付勢する金属細線からなる蓋体用バネ（２０）と、肩部材前方で蓋体（７ａ）を閉状態に保持する開閉操作部材（８）と、開閉操作部材（８）をロックするロック部材（９）とを備えた携帯用飲料用容器（１）に於いて、
上記蓋体用バネ（２０）には、一本の金属細線の左右両端をそれぞれ巻回した左右対称な左、右バネ部（２０ｂ）、（２０ｂ）と、この左、右バネ部のそれぞれ前方に延びた左、右先端部（２０ａ）、（２０ａ）と、この左、右バネ部のそれぞれ後方に延びた左、右保持部（２０ｃ）、（２０ｃ）と、この左、右保持部を連結した連結部（２０ｄ）とが一体的に形成される一方、
ヒンジ支持部（４ｃ）の左、右側壁面には、蓋体用バネ（２５）の左、右バネ部（２０ｂ）、（２０ｂ）及び左、右先端部（２０ａ）、（２０ａ）がそれぞれ収納可能な左、右深溝（１１）、（１１）を穿設すると共に
蓋体（７ａ）には、ヒンジ受部（２５）が二叉状に形成され、この二叉状間の前方内側にそれぞれ蓋体用バネ（２０）の左、右保持部（２０ｃ）、（２０ｃ）を支える左、右嵌合部（２７）、（２７）を設け、
肩部材（４）のヒンジ支持部（４ｃ）の左、右両側より蓋体（７ａ）の二叉状のヒンジ受部（２５）挟み込んだ後、蓋体用軸ピン（１９）が、ヒンジ受部（２５）の左、右両端のどちらか一方より圧入され、ヒンジ支持部（４ｃ）の左、右深溝（１１）、（１１）内に収納された蓋体用バネ（２０）の左、右バネ部（２０ｂ）、（２０ｂ）の一方の中央を貫通し、更にヒンジ受部（２５）を貫通して他方の蓋体用バネ（２０）の左、右バネ部（２０ｂ）、（２０ｂ）の他方の中央を貫通後、ヒンジ受部（２５）の二叉状の他方へ圧入されてなることを特徴とした携帯用飲料容器。
【考案の詳細な説明】
【技術分野】
【０００１】
本考案は、注出口を傾けて直飲み、又はコップ等に注いで飲む携帯用飲料容器に関するものである。
【背景技術】
【０００２】
従来、携帯用飲料容器では、液体収容の容器本体と、容器本体の口元に着脱自在に装着する筒状の肩部材と、肩部材の開口を開閉する蓋部材と、肩部材後方のヒンジ支持部と蓋部材後方のヒンジ受部とに挿通されるヒンジ用軸と、ヒンジ用軸に巻回されて蓋部材を開方向に付勢する一本の金属細線からなるスプリングと、肩部材前方で蓋部材を閉状態に保持するロック部材とを備えた飲料用容器が特開２００２−２０９７６４号公報として存在する。
【先行技術文献】
【特許文献】
【０００３】
【特許文献１】特開２００２−２０９７６４号公報
【考案の概要】
【考案が解決しようとする課題】
【０００４】
ところが、この種の飲料用容器では、ヒンジ用軸に巻回された一本の金属細線からなるスプリングの一端が、肩部材後方のヒンジ支持部より前方内壁面に当接され、他端が蓋部材後方のヒンジ受部より前方内壁面に当接されることとなるために、特に、蓋部材の取り付け組み立て時、又は蓋部材を開放して直飲み時に、指がこの金属細線からなるスプリングの端に接触して刺さり、ケガをするという問題点があった。
【課題を解決するための手段】
【０００５】
本考案は、  飲料収容の容器本体１ａと、容器本体１ａの口元に着脱自在に装着する筒状の肩部材４と、肩部材４の開口を開閉する蓋部材７と、肩部材後方のヒンジ支持部４ｃと蓋部材後方のヒンジ受部２５とに挿通される蓋体用軸ピン１９と、蓋体用軸ピン１９に巻回されて蓋体７ａを開方向に付勢する金属細線からなる蓋体用バネ２０と、肩部材前方で蓋体７ａを閉状態に保持する開閉操作部材８と、開閉操作部材８をロックするロック部材９とを備えた携帯用飲料用容器１に於いて、
上記蓋体用バネ２０には、一本の金属細線の左右両端をそれぞれ巻回した左右対称な左、右バネ部２０ｂ、２０ｂと、この左、右バネ部のそれぞれ前方に延びた左、右先端部２０ａ、２０ａと、この左、右バネ部のそれぞれ後方に延びた左、右保持部２０ｃ、２０ｃと、この左、右保持部を連結した連結部２０ｄとが一体的に形成される一方、
ヒンジ支持部４ｃの左、右側壁面には、蓋体用バネ２５の左、右バネ部２０ｂ、２０ｂ及び左、右先端部２０ａ、２０ａがそれぞれ収納可能な左、右深溝１１、１１を穿設すると共に
蓋体７ａには、ヒンジ受部２５が二叉状に形成され、この二叉状間の前方内側にそれぞれ蓋体用バネ２０の左、右保持部２０ｃ、２０ｃを支える左、右嵌合部２７、２７を設け、
肩部材４のヒンジ支持部４ｃの左、右両側より蓋体７ａの二叉状のヒンジ受部２５挟み込んだ後、蓋体用軸ピン１９が、ヒンジ受部２５の左、右両端のどちらか一方より圧入され、ヒンジ支持部４ｃの左、右深溝１１、１１内に収納された蓋体用バネ２０の左、右バネ部２０ｂ、２０ｂの一方の中央を貫通し、更にヒンジ受部２５を貫通して他方の蓋体用バネ２０の左、右バネ部２０ｂ、２０ｂの他方の中央を貫通後、ヒンジ受部２５の二叉状の他方へ圧入される構成としている。
【考案の効果】
【０００６】
本考案は、従来の問題点を解決したものであって、取り付け組み立てが容易で、組立て時又は直飲み時であっても、バネの先端により指をケガすることもなく、極めて安全性の高い携帯用飲料容器を提供するにある。
【図面の簡単な説明】
【０００７】
【図１】本考案実施例の正面図。
【図２】本考案実施例の右側面
【図３】図１のＡ−Ａ線拡大断面図
【図４】図３の上部拡大図
【図５】本考案実施例の蓋部材を開放した状態の縦断面図
【図６】本考案実施例の蓋部材を開放した状態の斜視図
【図７】本考案実施例の蓋部材を開放した状態の分解斜視図
【考案を実施するための形態】
【０００８】
携帯用飲料容器１は、内、外筒２，３間を真空引きした容器本体１ａと、容器本体１ａの口元に装着した筒状の肩部材４と、肩部材４内にあって、容器本体１ａ内と外部とを連通する注出口５を備えた注出部材６と、肩部材に枢支して注出口５を開閉する蓋部材７と、蓋部材７の蓋体７ａを係合する開閉操作部材８と、開閉操作部材８の開閉ボタン８ａをロックするロック部材９とから構成されている。
【０００９】
容器本体１ａの内筒２には、図３及び図４に示すように、ステンレス等の金属材料にて有底筒状に形成されており、内筒胴部２ａと、この内筒胴部２ａの上端より上方に向けて内側にすぼめた内筒傾斜部と、この内筒傾斜部の上端より上方に延びた内筒最小径部と、この内筒最小径部の上端より上方に向けてわずかに拡がり延びた内筒垂直部とが一体的に形成されている。 この内筒２の内筒垂直部の内側壁には、小さな環状突起が設けられている。この内筒２の厚みは、約０．３ｍｍである。
【００１０】
容器本体１ａの外筒３には、図３及び図４に示すように、内筒２と間隔を隔てて内筒胴部２ａを囲む外筒胴部３ａと、この外筒胴部３ａの上端より上方に向けて内側にすぼめた外筒傾斜部と、この外筒傾斜部の上端より上方に延びた外筒小径部と、この外筒小径部の上端より更に内側にすぼめてその先端が上方に延びた口元接合部とが一体的に形成されている。内筒胴部２ａの底を囲む外筒３の底部と外筒胴部３ａとは、図３に示すように、同一材料にて別部材として結合されているが、底部と外筒胴部３ａとを同一部材で一体化に形成しても何ら支障をきたすものではない。
【００１１】
容器本体１ａの外筒３の外筒胴部３ａは、横断面多角形による多辺形状に形成されている。この外筒胴部３ａを形成する辺の数は、外筒３の大きさが約６７ｍｍ以下の場合、２８個〜３６個特に３２個が最良である。この外筒３の厚みは、内筒２の厚みと同一であって、約０．３ｍｍである。
【００１２】
外筒胴部３ａには、その外表面が研磨された後に、透明度の高いアクリル樹脂塗料の層ｄが均一に塗布されている。
外筒３の外筒小径部の外側壁には、後述の肩部材４の雌ネジを螺着する雄ネジが刻設されている。
外筒３の口元接合部と内筒２の内筒垂直部の上端とは、重ね合わされて溶接され、容器本体１ａの口元とされており、この外筒３と内筒２との隙間は、真空とされている。
【００１３】
肩部材４は、筒状に形成されており、前面の間隔を開けた両側に前方に突出する左側壁４ａと右側壁４ｂとを配設し、図４乃至図７に示すように、後方上部に後述の蓋部材７を枢支するヒンジ支持部４ｃを設けている。
【００１４】
肩部材４の後方上部に一体的に形成されたヒンジ支持部４ｃでは、図７に示すように、横方向に延びた円筒状であって、左、右側壁面のどちらか一方より他方に向けて中央部に後述の蓋体用軸ピン１９が貫通する第１透孔１０を穿設している。
このヒンジ支持部４ｃの左、右側壁面には、図７に示すように、それぞれ第１透孔１０の周りに後述の蓋体用バネ２０のバネ部２０ｂ、２０ｂ及び先端部２０ａ、２０ａが収納できる左、右深溝１１、１１を穿設している。
【００１５】
この円筒状のヒンジ支持部４ｃの後側面には、図６及び図７に示すように、後述の蓋体７ａの係止突片１３を摺動可能とする係合突起１２が一体的に形成されている。
この係合突起１２の厚みは、図５及び図６に示すように、ヒンジ支持部４ｃの後側面に沿って後方より下方に至り次第に薄くなっている。
この係合突起１２の下部表面には、図７に示すように、蓋体７ａの係止突片１３の内側先端１３ａが係止される横浅溝１４を設けている。
【００１６】
この係合突起１２には、図５に示すように、蓋体７ａの開放状態にあって、蓋体７ａの係止突片１３が係合突起１２の表面に沿って摺動し、肩部材４の後壁に当接、その当接状態を維持できるよう、蓋体の係止突片１３の内側先端１３ａが係合突起１２の横浅溝１４内に嵌合し、係止突片１３の外側先端１３ｂが肩部材４の後壁面に当接している。
これにより肩部材の後壁面と開放された蓋体の上壁面とは、直接接触することがないために、従来のように肩部材の後壁面又は開放された蓋体の上壁面に接触へこみや接触傷等が発生することなく、外観上醜さが全く解消されるものである。
【００１７】
肩部材４の右側壁４ｂには、後述の開閉ボタン８ａを枢支する軸ピン用の第３透孔を穿設し、この第３透孔よりも下方に後述のロックボタン９ａを枢支するロックボタン軸ピン用の第４透孔を穿設している。
肩部材４の左側壁４ａには、右側壁４ｂと全く同様に右側壁４ｂと左右対称位置に、それぞれ第３透孔及び第４透孔を穿設している
【００１８】
筒状の肩部材４の内側壁には、図４及び図５に示すように、外筒３に螺着する雌ネジが刻設されている。
この雌ネジが刻設された内側壁の上端には、図４及び図５に示すように、後述の注出部材６の注出筒体６ａが抜け出るのを防ぐために、内側に向けて延びた環状突起部１６が設けられている。
【００１９】
注出部材６は、図４及び図５に示すように、内筒２内の飲料を外部へ注出する注出口５を備えた内筒状の注出筒体６ａと、この注出筒体６ａの下部にあって、内筒２の内筒垂直部、内筒最小径部の間にて密に接触する環状のシールパッキン１７とからなっている。
【００２０】
この注出筒体６ａは、図４及び図５に示すように、携帯用飲料容器１を前方に傾けて飲み易いよう、前方が背高く、後方が背低く形成されており、前方のほぼ中央で後方の上方となる周側壁に肩部材４の環状突起部１６に下側より接触して保持される環状突出部１８を設けている。従って、この注出筒体６ａは、肩部材４を容器本体１ａに螺着する前に、肩部材４の下側より内部に押し込んで肩部材にセットしておかなければならない。
【００２１】
蓋部材７は、図４及び図７に示すように、後述の開閉ボタン８ａの係合爪に係止された状態で注出筒体６ａの上面全体を覆う蓋体７ａと、この蓋体７ａを肩部材４のヒンジ支持部４ｃに枢支させる蓋体用軸ピン１９と、この蓋体用軸ピン１９の両側よりそれぞれ巻回して蓋体７ａの開状態に付勢される蓋体用バネ２０とからなっている。
【００２２】
蓋体７ａには、図４及び図７に示すように、蓋体７ａのほぼ中央内壁に、下方に向けて垂下した円筒体部２１が設けられ、この円筒体部２１の下部周りで注出筒体６ａの注出口５に被さるようにして密に閉鎖される弾性パッキン２２が配設されている。
【００２３】
この蓋体７ａには、図４及び図７に示すように、前方に後述の開閉ボタン８ａの係合爪２４に係合する係止爪２３が設けられ、後方にヒンジ支持部４ｃの両側より挟み込む二叉状の左受部２５ａ、右受部２５ｂからなるヒンジ受部２５が設けられている。この二叉状のヒンジ受部２５の左、右受部２５ａ、２５ｂには、それぞれ中央に蓋体用軸ピン１９のための第２透孔２６、２６が穿設されている。
【００２４】
この二叉状の左、右受部２５ａ、２５ｂ間の中央前方の壁には、上下に延びた係止突片１３が設けられている。
この係止突片１３は、図４に示すように、外壁上方に外側先端部１３ｂを突設し、内壁下方に内側先端部１３ａを突設している。この係止突片１３の外側先端部１３ｂは、図５に示すように、蓋体７ａが開状態となったとき、肩部材４の後壁に当接し、内側先端部１３ａは、図５に示すように、ヒンジ支持部４ｃの横浅溝１４内に嵌合して、それ以上蓋体７ａが肩部材４の後壁に触れないようにしている。
【００２５】
この蓋体７ａの係止突片１３より前方の内壁には、図６及び図７に示すように、二叉状のヒンジ受部２５前方より内壁に沿って延び、後述の蓋体用バネ２０の左、右保持部２０ｃ、２０ｃをそれぞれ嵌合する左、右嵌合溝２７，２７が穿設されている。
【００２６】
蓋体用バネ２０は、一本の金属細線を所定の形状に折り曲げて形成されており、図７に示すように、左右対称で巻回された左、右バネ部２０ｂ、２０ｂと、この左、右バネ部２０ｂ、２０ｂのそれぞれ一方の先端より延びた左、右先端部２０ａ、２０ａと、左、右バネ部２０ｂ、２０ｂのそれぞれ他方の先端より後方に延びた左、右保持部２０ｃ、２０ｃと、この左、右保持部２０ｃ、２０ｃ間を連結した連結部２０ｄとにて一体的に形成されている。
【００２７】
蓋体用軸ピン１９は、図７に示すように、内部中空のパイプ状であって、一方の端の外側に周り止め用の凹凸を設けている。
蓋体用軸ピン１９の長さは、二叉状のヒンジ受部２５を貫通する長さとなっている。この蓋体用軸ピン１９は、特に内部中空のパイプ状に限定されるものではなく、棒状であっても何ら支障をきたすものではない。
【００２８】
肩部材４と蓋体７ａとのセットは、先ず肩部材４のヒンジ支持部４ｃの左右両側より左、右深溝１１、１１内にそれぞれ蓋体用バネ２０の左、右バネ部２０ｂ、２０ｂ及び左、右先端部２０ａ、２０ａを挿入後、蓋体７ａの二叉状のヒンジ受部２５をヒンジ支持部４ｃの左右両側より近づけ、蓋体用バネ２０の左、右保持部２０ｃ、２０ｃをそれぞれ左、右嵌合溝２７，２７内に納めた後に、ヒンジ受部２５の左、右受部２５ａ、２５ｂのどちらか一方より蓋体用軸ピン１９を挿入すれば完了する。
【００２９】
開閉操作部材８は、蓋体７ａを開閉する開閉ボタン８ａと、この開閉ボタンを枢支する軸ピンと、開閉ボタンを元の位置に復帰させる開閉復帰バネ２８とからなっている。
この開閉ボタン８ａは、肩部材４の左、右側壁４ａ、４ｂ間に納められて、この間を自由に摺動できて、ほぼ縦板状に形成されている。
【００３０】
この開閉ボタン８ａは、縦板状のほぼ中央後壁に肩部材４の左、右側壁４ａ、４ｂに設けた第３透孔を貫通する軸ピンを介して前後揺動自在に装着されている。
この縦板状の開閉ボタン８ａは、枢支される軸ピン位置よりも上部の内壁に蓋体７ａの係止爪２３を係合する係合爪２４を設け、軸ピン位置よりも下部の前面壁を指押圧部としている。この開閉ボタンの指押圧部後方には、開閉ボタンを元の位置に復帰させる開閉復帰バネ２８が張設されている。
【００３１】
ロック部材９は、開閉ボタンの指押圧部前面を覆うロックボタン９ａと、このロックボタンを枢支するロックボタン用軸ピンとからなっている。
このロックボタン９ａには、肩部材４の左、右側壁４ａ、４ｂの外側一部を覆うような左側壁部と右側壁部と、開閉ボタンの指押圧部前面を覆うような前面壁部とが一体的に形成されてほぼマスク形状となっている。
【００３２】
このようにして、ロックボタン９ａが開閉ボタン８ａの指押圧部前面より押し上げられなければ、開閉ボタン８ａを操作することができないために、蓋体７ａを開放することは全くできない。従って、持ち運び時、又は落下時に於いてもロックボタンの操作は不能で、万一ロックボタンが押し上げられたとしても、指押圧部前面を押さない限り蓋体を開放できないために、蓋体の開閉を極めて確実に行うことができる。
【００３３】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００３４】
１…携帯用飲料容器
１ａ…容器本体
２…内筒
２ａ…内筒胴部
３…外筒
３ａ…外筒胴部
４…肩部材
４ａ…左側壁
４ｂ…右側壁
４ｃ…ヒンジ支持部
５…注出口
６…注出部材
６ａ…注出筒体
７…蓋部材
７ａ…蓋体
８…開閉操作部材
８ａ…開閉ボタン
９…ロック部材
９ａ…ロックボタン
１０…第１透孔
１１，１１…左、右深溝
１２…係合突起
１３…係止突片
１３ａ…内側先端
１３ｂ…外側先端
１４…横浅溝
１６…環状突起部
１７…シールパッキン
１８…環状突出部
１９…蓋体用軸ピン
２０…蓋体用バネ
２０ａ、２０ａ…左、右先端部
２０ｂ、２０ｂ…左、右バネ部
２０ｃ、２０ｃ…左、右保持部
２０ｄ…連結部
２１…円筒体部
２２…弾性パッキン
２３…係止爪
２４…係合爪
２５…ヒンジ受部
２５ａ…左受部
２５ｂ…右受部
２６…第２透孔
２７、２７…左、右嵌合溝
２８…開閉復帰バネ
【図１】
0003164889.tif 000003
【図２】
0003164889.tif 000004
【図３】
0003164889.tif 000005
【図４】
0003164889.tif 000006
【図５】
0003164889.tif 000007
【図６】
0003164889.tif 000008
【図７】
0003164889.tif 000009